(57)【特許請求の範囲】
【請求項１】
入力される交流電圧を全波整流する整流手段と、
前記整流手段によって整流された電圧を変換する第一コンバータと、
前記第一コンバータに並列に接続された第二コンバータと、
前記第一コンバータからの出力電圧が電源電圧として供給され、前記交流電圧のゼロクロスを検知するゼロクロス検知手段と、
前記整流手段によって全波整流した後の電位とグランドとの間に接続された第一容量素子と、
前記第一容量素子に充電された電荷を放電する第一放電抵抗と、
前記第一放電抵抗に流れる電流を用いて前記交流電圧を検知し、検知した電圧が閾値より小さい場合に、前記第二コンバータの動作を停止する電圧検知手段と、
前記第一放電抵抗と前記電圧検知手段の間に接続されており、前記第一コンバータからの前記出力電圧が供給されることによりオンされ、該出力電圧が断たれることによりオフされる第一のスイッチと、
前記第一コンバータから前記出力電圧を供給する供給状態と前記出力電圧を遮断する遮断状態に切り換える第二のスイッチと、を有し、
前記第二のスイッチを前記遮断状態にすることにより、前記第一のスイッチをオフして前記第一放電抵抗への電流の流れを遮断し、且つ、前記ゼロクロス検知手段の動作を停止した第一の状態と、前記第二のスイッチを前記供給状態にすることにより、前記第一のスイッチをオンして前記第一放電抵抗を通電状態にし、且つ、前記ゼロクロス検知手段が動作する第二の状態と、を有することを特徴とする電源。
【請求項２】
更に、前記交流電圧が供給される二つのライン間に第二容量素子が接続され、
前記第二容量素子に充電された電荷を放電する第二放電抵抗と、を有し、
前記ゼロクロス検知手段は、前記第二放電抵抗に流れる電流を用いて、前記交流電圧のゼロクロスを検知し、前記第一放電抵抗の抵抗値は、前記第二放電抵抗の抵抗値よりも小さいことを特徴とする請求項１に記載の電源。
【請求項３】
前記ゼロクロス検知手段が、予め定めた時間以上、前記交流電圧のゼロクロスを検知できなかった場合に、停電状態であると判断する第一の停電検知手段を有することを特徴とする請求項１又は２に記載の電源。
【請求項４】
前記電圧検知手段が、前記閾値より低い電圧を検知した場合に、停電状態であると判断する第二の停電検知手段を有することを特徴とする請求項１又は２に記載の電源。
【請求項５】
記録媒体を搬送しつつ加熱する加熱装置を備えた画像形成装置において、
前記加熱装置の動作を制御する制御手段と、
前記画像形成装置に電力を供給する電源と、を有し、
前記電源は、
入力される交流電圧を全波整流する整流手段と、
前記整流手段によって整流された電圧を変換する第一コンバータと、
前記第一コンバータに並列に接続された第二コンバータと、
前記第一コンバータからの出力電圧が電源電圧として供給され、前記交流電圧のゼロクロスを検知するゼロクロス検知手段と、
前記整流手段によって全波整流した後の電位とグランドとの間に接続された第一容量素子と、
前記第一容量素子に充電された電荷を放電する第一放電抵抗と、
前記第一放電抵抗に流れる電流を用いて前記交流電圧を検知し、検知した電圧が閾値より小さい場合に、前記第二コンバータの動作を停止する電圧検知手段と、
前記第一放電抵抗と前記電圧検知手段の間に接続されており、前記第一コンバータからの前記出力電圧が供給されることによりオンされ、該出力電圧が断たれることによりオフされる第一のスイッチと、
前記第一コンバータから前記出力電圧を供給する供給状態と前記出力電圧を遮断する遮断状態に切り換える第二のスイッチと、を有し、
前記制御手段からの指示に応じて、前記第二のスイッチを前記遮断状態にすることにより、前記第一のスイッチをオフして前記第一放電抵抗への電流の流れを遮断し、且つ、前記ゼロクロス検知手段の動作を停止した第一の状態と、前記第二のスイッチを前記供給状態にすることにより、前記第一のスイッチをオンして前記第一放電抵抗を通電状態にし、且つ、前記ゼロクロス検知手段が動作する第二の状態に切り換え可能であり、
前記制御手段は、前記ゼロクロス検知手段によって前記交流電圧のゼロクロスを検知した結果に応じて、前記加熱装置への電力を制御することを特徴とする画像形成装置。
【請求項６】
前記制御手段は、待機状態において前記第二のスイッチを前記遮断状態にし、動作状態において前記第二のスイッチを前記供給状態にすることを特徴とする請求項５に記載の画像形成装置。
【発明の詳細な説明】
【技術分野】
【０００１】
本発明は、複写機、プリンタ、ファクシミリ等の画像形成装置に搭載される電源及び停電検知装置に関する。
【背景技術】
【０００２】
装置に商用交流電源からの交流電圧が供給されない状態（停電状態ともいう）には、商用交流電源からの交流電圧の供給が停電等で断たれた場合、また、供給される交流電圧が装置の仕様範囲外に大きく低下した場合、また、ユーザによって装置が動作している状態で電源ケーブルが引き抜かれた場合がある。この停電状態を検知し、装置を正常に停止できる状態に遷移してから、電源回路を停止させることが望ましい。特許文献１では、この停電状態を検知する構成として、電源の全波整流回路に、第一コンバータ（絶縁型ＤＣ／ＤＣコンバータ）と、第二コンバータ（絶縁型ＤＣ／ＤＣコンバータ）を並列に接続して、停電状態を検知して第二コンバータを停止することで、第一コンバータによる電圧供給を一定時間継続し、装置を正常に停止できる状態に遷移する方法が提案されている。
【０００３】
ところで、画像形成装置としての複写機、プリンタ、ファクシミリ等に搭載され、記録材に画像を定着する定着装置として、エンドレスベルトと、エンドレスベルトの内面に接触するセラミック製のヒータ（以降、セラミックヒータという）と、エンドレスベルトを介してセラミックヒータとニップ部を形成する加圧ローラと、を有する定着装置が知られている。この定着装置に供給する電力の制御手段として、商用交流電源から供給される電力を、トライアック等のスイッチ素子を用いて位相制御する方法が用いられている。供給される交流電圧波形の位相制御には、位相制御の基準となるタイミングとして、交流電圧が０Ｖになるタイミング、所謂、ゼロクロスタイミング（以降、ゼロクロスという）を正確に検知する必要がある。なお特許文献２にゼロクロスタイミングを検知する回路が開示されている。
【先行技術文献】
【特許文献】
【０００４】
【特許文献１】特許第４０８０７６４号
【特許文献２】特開２００３−１９９３４３号公報
【発明の概要】
【発明が解決しようとする課題】
【０００５】
上記の停電状態のうち、ユーザによって装置の電源ケーブルが引き抜かれた際に、交流電圧を検知することによって停電状態を検知する場合、電源のノイズ対策としてもうけられているＸコンデンサに充電された電荷の影響によって、電源回路の電圧の低下が遅延して停電状態の検知に時間がかかる場合があった。Ｘコンデンサを放電する抵抗の抵抗値を小さくすることで、この遅延は改善できる。しかし、一方で、装置が動作していない待機状態における電力をより低減する要求が強まっており、停電状態を検知する回路の消費電力を低減又は抑制する必要もある。つまり、停電状態を早期に検知し、かつ、装置の待機時の消費電力を低減することが求められている。
【課題を解決するための手段】
【０００６】
上記目標を達成するため、本発明の電源は、入力される交流電圧を全波整流する整流手段と、前記整流手段によって整流された電圧を変換する第一コンバータと、前記第一コンバータに並列に接続された第二コンバータと、前記第一コンバータからの出力電圧が電源電圧として供給され、前記交流電圧のゼロクロスを検知するゼロクロス検知手段と、前記整流手段によって全波整流した後の電位とグランドとの間に接続された第一容量素子と、前記第一容量素子に充電された電荷を放電する第一放電抵抗と、前記第一放電抵抗に流れる電流を用いて前記交流電圧を検知し、検知した電圧が閾値より小さい場合に、前記第二コンバータの動作を停止する電圧検知手段と、前記第一放電抵抗と前記電圧検知手段の間に接続されており、前記第一コンバータからの前記出力電圧が供給されることによりオンされ、該出力電圧が断たれることによりオフされる第一のスイッチと、前記第一コンバータから前記出力電圧を供給する供給状態と前記出力電圧を遮断する遮断状態に切り換える第二のスイッチと、を有し、前記第二のスイッチを前記遮断状態にすることにより、前記第一のスイッチをオフして前記第一放電抵抗への電流の流れを遮断し、且つ、前記ゼロクロス検知手段の動作を停止した第一の状態と、前記第二のスイッチを前記供給状態にすることにより、前記第一のスイッチをオンして前記第一放電抵抗を通電状態にし、且つ、前記ゼロクロス検知手段が動作する第二の状態と、を有することを特徴とする。  
【０００７】
また、本発明の画像形成装置は、記録媒体を搬送しつつ加熱する加熱装置を備えた画像形成装置において、前記加熱装置の動作を制御する制御手段と、前記画像形成装置に電力を供給する電源と、を有し、前記電源は、入力される交流電圧を全波整流する整流手段と、前記整流手段によって整流された電圧を変換する第一コンバータと、前記第一コンバータに並列に接続された第二コンバータと、前記第一コンバータからの出力電圧が電源電圧として供給され、前記交流電圧のゼロクロスを検知するゼロクロス検知手段と、前記整流手段によって全波整流した後の電位とグランドとの間に接続された第一容量素子と、前記第一容量素子に充電された電荷を放電する第一放電抵抗と、前記第一放電抵抗に流れる電流を用いて前記交流電圧を検知し、検知した電圧が閾値より小さい場合に、前記第二コンバータの動作を停止する電圧検知手段と、前記第一放電抵抗と前記電圧検知手段の間に接続されており、前記第一コンバータからの前記出力電圧が供給されることによりオンされ、該出力電圧が断たれることによりオフされる第一のスイッチと、前記第一コンバータから前記出力電圧を供給する供給状態と前記出力電圧を遮断する遮断状態に切り換える第二のスイッチと、を有し、前記制御手段からの指示に応じて、前記第二のスイッチを前記遮断状態にすることにより、前記第一のスイッチをオフして前記第一放電抵抗への電流の流れを遮断し、且つ、前記ゼロクロス検知手段の動作を停止した第一の状態と、前記第二のスイッチを前記供給状態にすることにより、前記第一のスイッチをオンして前記第一放電抵抗を通電状態にし、且つ、前記ゼロクロス検知手段が動作する第二の状態に切り換え可能であり、前記制御手段は、前記ゼロクロス検知手段によって前記交流電圧のゼロクロスを検知した結果に応じて、前記加熱装置への電力を制御することを特徴とする。
【発明の効果】
【０００８】
本発明によれば、停電状態を早期に検知することができ、且つ、装置の待機状態における消費電力を低減することができる。
【図面の簡単な説明】
【０００９】
【図１】画像形成装置の概略図。
【図２】実施例１の電源回路図。
【図３】実施例１のゼロクロス検知部を示す図。
【図４】実施例１の停電検知動作の説明図。
【図５】実施例１の停電検知動作の説明図。
【図６】実施例１の停電検知動作の説明図。
【図７】実施例１の停電検知動作の説明図。
【図８】実施例１の電源回路の制御シーケンスを示すフォローチャート。
【図９】実施例２の電源回路の説明図。
【発明を実施するための形態】
【００１０】
次に、上述した課題を解決するための本発明の具体的な構成について、以下に実施例に基づき説明する。なお、以下に示す実施例は一例であって、この発明の技術的範囲をそれらのみに限定する趣旨のものではない。
【００１１】
（本発明が適用される装置構成例の説明）
図１は、本発明が適用される装置の一例である電子写真方式の画像形成装置の断面図である。給紙カセット１１に積載された記録媒体としての記録紙はピックアップローラ１２によって１枚ずつ給紙カセット１１から送出され、給紙ローラ１３によってレジストローラ１４に向けて搬送される。記録紙はレジストローラ１４によって所定のタイミングで画像形成部に搬送される。画像形成部としてのプロセスカートリッジ１５は、帯電部としての帯電ローラ１６、現像部としての現像ローラ１７、クリーニング部としてのクリーナ１８、及び、トナー像が形成される感光ドラム１９を一体的に構成したものであり画像形成装置に対して着脱可能である。電子写真方式の画像形成動作は、まず、感光ドラム１９の表面が帯電ローラ１６によって一様に帯電された後、露光部であるスキャナユニット２１により画像信号に基づいて感光ドラム１９に露光が行なわれる。スキャナユニット２１内のレーザダイオード２２から出射されるレーザ光は、回転するポリゴンミラー２３および反射ミラー２４を経て主走査方向に、感光ドラム１９の回転により副走査方向に走査され、感光ドラム１９の表面上に潜像が形成される。感光体ドラム１９の潜像は現像ローラ１７によってトナーが供給されて感光ドラム１９上にトナー像として可視化される。そして感光ドラム１９上のトナー像は転写ローラ２０によって、レジストローラ１４から搬送されてきた記録紙上に転写される。続いて、トナー像が転写された記録紙は加熱装置１００に搬送されると記録紙は加熱及び加圧処理されて、記録紙上に転写されたトナー像が記録紙に定着される。記録紙はさらに中間排紙ローラ２６、排紙ローラ２７によって画像形成装置外に排出され、一連の画像形成動作が完了する。なお、定着部１００の動作については後述するが、商用交流電源からの交流電圧のゼロクロスのタイミングに基づき、投入する電力を位相制御、又は、位相制御波形を含む複数周期に渡る制御方法によって、電力制御が行われている。２００は画像形成装置で用いる電源回路である。商用電源としての外部電源部４０から供給される交流電圧は、電源ケーブル５０を介して、電源回路２００に供給される。
【実施例１】
【００１２】
図２は実施形１の電源回路２００を示している。外部電源部４０は、グランド電位への接地点ＧＮＤ、及び、交流電源２０１で構成されている。交流電源２０１は、ＬＩＶＥラインとＮＥＵＴＲＡＬライン間に交流電圧を出力している。本実施例では外部電源部４０において、ＮＥＵＴＲＡＬラインがＧＮＤに接地されている。ただし、本実施例の効果は、ＬＩＶＥライン側がＧＮＤに接地されている場合でも有効である。また、画像形成装置のフレームグランド（以降、ＦＧという）がＧＮＤ（グランド）と接続されていない状態でも、後述するゼロクロスの検知精度を満足できる。本実施例では外部電源部４０と電源回路２００は、ＬＩＶＥライン、ＮＥＵＴＲＡＬライン、ＧＮＤラインの３ラインで接続されている。画像形成装置のＦＧは、ＧＮＤラインと接続されている。交流電源２０１から供給されている交流電圧はブリッジダイオード回路ＢＤ１で全波整流され、一次平滑コンデンサＣ２で平滑される。一次平滑コンデンサＣ２の低い側の電位をＤＣＬ、高い側の電位をＤＣＨとする。ブリッジダイオード回路ＢＤ１及び、一次平滑コンデンサＣ２の後段には、第一コンバータ（コンバータ１）及び、第二コンバータ（コンバータ２）が並列に接続されている。コンバータ１は絶縁型ＤＣ／ＤＣコンバータであり、入力される１次側の直流電圧を変換して出力側である２次側に直流の５Ｖ（Ｖ５）を出力している。コンバータ２は絶縁型ＤＣ／ＤＣコンバータであり、入力される１次側の直流電圧を変換して出力側である２次側に直流の２４Ｖ（Ｖ２４）を出力している。
【００１３】
一般に電源回路では、ノイズ対策用として商用交流電源から交流電圧が供給されるライン間に設けられた容量素子（以降、Ｘコンデンサという）を有しているものがある。図２においてＣ１はＸコンデンサである。Ｘコンデンサを用いる電源回路において、ユーザが電源回路に電力を供給する電源ケーブルを抜いた際に、Ｘコンデンサには交流電源からの電荷が充電されていることがある。ユーザが電源ケーブルを引き抜いた際に、電源ケーブルのコンセント端子に触れてしまう可能性があるため、Ｘコンデンサに充電された電荷を放電するための放電抵抗（以降、Ｘコンデンサ放電抵抗という）が必要になる。抵抗Ｒ１とＲ２は、ＸコンデンサＣ１を放電するために用いられるＸコンデンサ放電抵抗である。ユーザが外部電源部４０から電源ケーブル５０を引き抜いた場合、外部電源部４０と電源回路のＬＩＶＥ、ＮＥＵＴＲＡＬ，ＧＮＤ３つのラインが遮断される。ＸコンデンサＣ１の充電状態が正（ＮＥＵＴＲＡＬに比べてＬＩＶＥ側の電位が高い）の場合、Ｘコンデンサ放電抵抗Ｒ１、ブリッジダイオード回路ＢＤ１を介して、電荷が放電される。また、ＸコンデンサＣ１の充電状態が負（ＮＥＵＴＲＡＬに比べてＬＩＶＥ側の電位が低い）の場合、Ｘコンデンサ放電抵抗Ｒ２、ダイオードブリッジ回路ＢＤ１を介して、電荷が放電される。
【００１４】
上記の特許文献１には、ゼロクロス検知回路及び、交流電圧の全波整流後の電位（ライン）とＦＧ（フレームグランド）との間の容量成分を有する電源回路が開示されており、端子雑音などのノイズ対策として全波整流後の電位とＦＧとの間に容量素子としてのＹコンデンサと呼ばれるコンデンサが設けられている。ゼロクロスのタイミングを正確に検知するには、このＹコンデンサを放電するための抵抗（以降、Ｙコンデンサ放電抵抗という）が必要である。図２においてコンデンサＣ３及びＣ４は、ノイズ対策用のＹコンデンサである。ＹコンデンサＣ３が無い場合（ＹコンデンサＣ４のみを有する場合）にも、以下で説明するが、本実施例で説明するＹコンデンサ放電抵抗の効果を得ることができる。同様に、ＹコンデンサＣ４が無い場合（ＹコンデンサＣ３のみを有する場合）にも、本実施例で説明するＹコンデンサ放電抵抗の効果を得ることができる。抵抗Ｒ３及びＲ４は、ＹコンデンサＣ３及びＣ４を放電するためのＹコンデンサ放電抵抗である。Ｄ１及びＤ２は逆流防止用のダイオードである。なお、Ｙコンデンサ放電抵抗の効果は図３に基づき後述する。このように、本実施例では、第一容量素子としてのＹコンデンサ及び、Ｙコンデンサを放電するための第一放電抵抗としてのＲ３及びＲ４、第二容量素子としてのＸコンデンサ及び、Ｘコンデンサを放電するための第二放電抵抗としてのＲ１及びＲ２が設けられた構成である。
【００１５】
Ｑ１はＹコンデンサ放電抵抗に流れる電流を遮断するために用いる第一のスイッチ素子としてお高耐圧トランジスタである。本実施例ではＱ１に高耐圧のバイポーラトランジスタを用いているが、ＦＥＴ（電界効果トランジスタ）等の他のスイッチ素子を用いることも可能である。抵抗Ｒ９はトランジスタＱ１を駆動するためのプルアップ抵抗であり、抵抗Ｒ８はトランジスタＱ１を保護するための抵抗である。ここで、Ｘコンデンサ放電抵抗Ｒ１とＲ２は、ユーザが電源ケーブル５０を引き抜いた場合にＸコンデンサに充電された電荷を放電する抵抗素子である。抵抗Ｒ３及びＲ４はトランジスタＱ１がＯＦＦしている場合には、Ｘコンデンサを放電する抵抗として機能しない。
【００１６】
ところで、Ｘコンデンサ放電抵抗Ｒ１及びＲ２も、ＹコンデンサＣ３及びＣ４に充電した電荷を放電する機能を有している。しかし、ＹコンデンサＣ３及びＣ４の容量に対して、抵抗値が十分に小さくないため、時定数遅延（図３で後述する）によるゼロクロスタイミングの検知精度が低下してしまう。Ｙコンデンサ放電抵抗Ｒ３及びＲ４は、Ｘコンデン放電抵抗Ｒ１とＲ２のうち、少なくともゼロクロス検知回路２０２に電流を供給するＸコンデンサ放電抵抗Ｒ２よりも、抵抗値が小さく設定していることが特徴である。本実施例１の構成では、Ｘコンデンサ放電抵抗Ｒ２はゼロクロスタイミングを検知するためのゼロクロス検知抵抗としても機能しており、Ｘコンデンサの放電の機能と兼用している。抵抗値の大きさの条件は以下のとおりである。
・Ｘコンデンサ放電抵抗（ゼロクロス検知抵抗）Ｒ２の抵抗値＞Ｙコンデンサ放電抵抗Ｒ３の抵抗値
・Ｘコンデンサ放電抵抗（ゼロクロス検知抵抗）Ｒ２の抵抗値＞Ｙコンデンサ放電抵抗Ｒ４の抵抗値
ＣＰＵ２０３は電源装置２００及び、図１の画像形成装置を制御を実行する制御部である。ＣＰＵ２０３による制御の詳細は、図８のフローチャートで後述する。
【００１７】
図２において、Ｖｃｃはコンバータ１の補助巻線から供給される電圧である。補助巻線電圧ＶｃｃはフォトカプラＰＣ２の１次側のトランジスタを介して供給される。なお、フォトカプラＰＣ２の一次側のトランジスタの供給能力が不足する場合には、別途、出力増幅用にトランジスタ等を用いて、補助巻線電圧Ｖｃｃを出力する構成とすればよい。ＣＰＵ２０３から出力されるスタンバイ信号（以下、Ｓｔａｎｂｙ信号と記す）がＨｉｇｈ状態になると、Ｖｃｃが供給され、ＶｃｃはＨｉｇｈ状態（補助巻線電圧が出力された状態）になる。ＣＰＵ２０３から出力されるＳｔａｎｂｙ信号がＬｏｗ状態になると、Ｖｃｃが供給されず、ＶｃｃはＬｏｗ状態（基準電位ＤＣＬと同電位の状態）になる。補助巻線電圧Ｖｃｃによって、後述するゼロクロス検知部２０２、コンバータ２、及び、トランジスタＱ１（第一のスイッチ素子）、電圧検知部２０５を駆動させる電力が供給される。
【００１８】
次に、ゼロクロス検知部２０２を説明する。交流電源２０１から供給される、ＮＥＵＴＲＡＬラインの電位がＬＩＶＥラインの電位より高い場合、Ｘコンデンサ放電抵抗Ｒ２を介してゼロクロス検知部２０２に電流が流れる。Ｘコンデンサ放電抵抗Ｒ２から供給された電流が、ゼロクロス検知部２０２のトランジスタＱ２のベース端子に流れると、トランジスタＱ２はＯＮ状態となる。抵抗Ｒ５及びコンデンサＣ５はトランジスタＱ２の動作タイミングの調整する回路である。トランジスタＱ２がＯＮ状態になると、フォトカプラＰＣ１の一次側ダイオードに印加される電圧が低下し、フォトカプラＰＣ１の２次側トランジスタはＯＦＦ状態となる。フォトカプラＰＣ１の２次側トランジスタがＯＦＦ状態になると、コンバータ１の出力電圧Ｖ５によって、プルアップ抵抗Ｒ７を介して、ゼロクロス信号（以下、Ｚｅｒｏｘ信号と記す）の電圧が上昇し、ＣＰＵ２０３はＺｅｒｏｘ信号のＨｉｇｈ状態を検知する。ＮＥＵＴＲＡＬラインの電位がＬＩＶＥラインの電位より低い場合、Ｘコンデンサ放電抵抗Ｒ１を介して電流が流れる状態であり、Ｘコンデンサ放電抵抗Ｒ２には電流が流れないため、トランジスタＱ２はＯＦＦ状態となる。トランジスタＱ２がＯＦＦ状態になると、フォトカプラＰＣ１の一次側ダイオードには、補助巻線電圧Ｖｃｃからプルアップ抵抗Ｒ６を介して電流が流れるため、フォトカプラＰＣ１の２次側トランジスタはＯＮ状態となる。フォトカプラＰＣ１の２次側トランジスタがＯＮ状態になると、Ｚｅｒｏｘ信号の電圧が低下し、ＣＰＵ２０３はＺｅｒｏｘ信号のＬｏｗ状態を検知する。ゼロクロス波形については図３を用いて後述する。
【００１９】
次に、電圧検知部２０５の説明を行う。Ｙコンデンサ放電抵抗Ｒ３及びＲ４に流れる電流は、コンデンサＣ６に充電される。Ｒ１０はコンデンサＣ６の放電抵抗である。抵抗Ｒ１１及びコンデンサＣ７で平滑された電圧Ｖｉｎは電圧検知部２０５へ入力される。交流電源２０１の電圧が低下すると、コンデンサＣ６への充電電流が低下し、電圧検知部２０５の検知電圧Ｖｉｎは低下する。電圧検知部２０５は、電圧Ｖｉｎが所定の閾電圧Ｖｔｈ（本実施例では１．１６Ｖ）以下になった場合に、ＶｏｕｔをＬｏｗ状態とし、コンバータ２の出力を停止する。コンバータ２の出力が停止し、Ｖ２４の電圧が低下すると、Ｖ２４の電圧を抵抗Ｒ１２及びＲ１３で分圧した信号（Ｖ２４ｓｅｎｓｅ信号）の電圧は低下する。ＣＰＵ２０３は、Ｖ２４ｓｅｎｓｅ信号によって、コンバータ２が停止したことを判断する。なお、停電検知方法の詳細については、図４〜図７に基づき後述する。
【００２０】
次に、装置が動作していない省エネ状態時における図２の回路の動作について説明する。省エネ状態ではＳｔａｎｂｙ信号がＬｏｗ状態のため、補助巻線電圧ＶｃｃはＬｏｗ状態となる。ＶｃｃがＬｏｗ状態のため、ゼロクロス検知部２０２の抵抗Ｒ６、フォトカプラＰＣ１の一次側ダイオード、トランジスタＱ２のコレクタ端子には電流が流れない状態となり、消費電力を抑えることができる。またコンバータ２への電力供給が停止され、コンバータ２のスイッチング動作を停止することで消費電力を抑えることができる。また、補助巻線電圧ＶｃｃがＬｏｗ状態のため、高耐圧トランジスタＱ１はＯＦＦ状態となる。そのため、ＬＩＶＥのラインからＹコンデンサ放電抵抗Ｒ３を介して流れる電流及び、ＮＥＵＴＲＡＬのラインからＹコンデンサ放電抵抗Ｒ４を介して流れる電流を遮断して消費電力を抑えることができる。このような消費電力を抑えた状態では、フォトカプラＰＣ１の２次側トランジスタが常にＯＦＦ状態となるため、Ｚｅｒｏｘ信号は常にＨｉｇｈ状態となる（つまり、ゼロクロスタイミングを検知できない状態）。また、電圧検知部２０５の入力電圧Ｖｉｎは常にＬｏｗの状態となる（つまり、交流電源からの電圧を検知できない状態）。
【００２１】
次に、装置のスタンバイ時や画像形成時などの動作状態における図２の回路の動作について説明する。このような動作状態では、交流電源２０１のゼロクロスタイミング及び入力される電圧を検知可能な状態である。ゼロクロスタイミング及び電圧が検知可能な状態では、Ｓｔａｎｂｙ信号がＨｉｇｈ状態のため、補助巻線電圧ＶｃｃはＨｉｇｈ状態となる。ＶｃｃがＨｉｇｈ状態のため、トランジスタＱ１及び、ゼロクロス検知部２０２、電圧検知部２０５、コンバータ２を駆動する電力が供給されている状態となる。抵抗Ｒ６、フォトカプラＰＣ１の一次側ダイオード、トランジスタＱ２のコレクタ端子には電流が流れる状態となり、ゼロクロス検知部２０２の消費電力は増大する。また、コンバータ２が起動するため、コンバータ２の消費電力が増大する。補助巻線電圧ＶｃｃがＨｉｇｈ状態では、高耐圧トランジスタＱ１はＯＮ状態となり、電圧検知部２０５は交流電源２０１の電圧を検知可能な状態となる。ＬＩＶＥのラインからＹコンデンサ放電抵抗Ｒ３を介して流れる電流、及び、ＮＥＵＴＲＡＬのラインからＹコンデンサ放電抵抗Ｒ４を介して流れる電流によって消費電力が増大する。ゼロクロスタイミングや電圧を検知可能な状態では、電源回路２００で消費される電力が大きくなる。
【００２２】
このように、本実施例の電源回路２００は、トランジスタＱ１（第一のスイッチ素子）をＯＦＦ状態にすることで、Ｙコンデンサ放電抵抗Ｒ３及びＲ４に電流を遮断すると共に、電圧検知部２０５が電圧検知に用いる電流も遮断し、消費電力を低減できること特徴としている。
【００２３】
次に、図３に基づき、Ｙコンデンサ放電抵抗Ｒ３及びＲ４の効果について説明する。図３は、本実施形のＹコンデンサ放電抵抗Ｒ３及びＲ４の、ゼロクロスタイミングの検知精度に与える影響を説明するための図（シミュレーション図）である。図３の波形は、ＸコンデンサＣ１＝０．５６μＦ、ＹコンデンサＣ３＝Ｃ４＝２２００ｐＦ、Ｘコンデンサ放電抵抗Ｒ１＝Ｒ２＝１０００ｋΩ、Ｙコンデンサ放電抵抗Ｒ３＝Ｒ４＝１５０ｋΩの条件によるシミュレーション結果である。
【００２４】
波形３０１は交流電源２０１からの交流電圧波形（２２０Ｖｒｍｓ、５０Ｈｚ）を示している。交流電圧波形の上にゼロクロスポイントとして、Ｚｅｒｏｘ１、Ｚｅｒｏｘ２、Ｚｅｒｏｘ３、Ｚｅｒｏｘ４を矢印で示している。波形３０２はＹコンデンサ放電抵抗Ｒ３，Ｒ４を通電した状態におけるゼロクロス波形を示している。波形３０２では、Ｚｅｒｏｘ信号の立ち下りのタイミングが、交流電源２０１のゼロクロス、Ｚｅｒｏｘ１及び、Ｚｅｒｏｘ３と一致している。また、Ｚｅｒｏｘ２、Ｚｅｒｏｘ４のタイミングは、ＣＰＵ２０３の内部で検知している。具体的には、まずＣＰＵ２０３によって、Ｚｅｒｏｘ１からＺｅｒｏｘ３までの期間（交流電源２０１の一周期）を算出（本例では２０ｍｓｅｃ）する。Ｚｅｒｏｘ信号の立ち下りタイミングである、例えば、Ｚｅｒｏｘ１（３）から、半周期後（本例では１０ｍｓｅｃ）のタイミングを、Ｚｅｒｏｘ２（４）のタイミングとして、ＣＰＵ２０３は予測している。このように、ゼロクロスの立ち下りタイミング、又は、立ち上りタイミングの一方が分かれば、立ち上りと立ち下りの両方のゼロクロスを検知、及び予測することができる。
【００２５】
波形３０３は、Ｙコンデンサ放電抵抗を遮断した状態における、ゼロクロス波形（実施例３で説明する第三の状態における波形）を示している。波形３０３では、立ち上り及び、立下ちりのタイミングが、波形３０１の交流電源のゼロクロスと一致していない。この誤差は、ＹコンデンサＣ３及びＣ４に充電された電荷が、放電されるまでにかかる時間（ＣＲ遅延）によって生じている。波形３０３の状態では、Ｘコンデンサ放電抵抗Ｒ１、Ｒ２と、ＹコンデンサＣ３及、Ｃ４によるＣＲ遅延によって、ゼロクロスタイミングの検知に誤差が生じている。波形３０２では、Ｙコンデンサ放電抵抗Ｒ３及びＲ４の抵抗値が小さいため、波形３０３のようなＣＲ遅延が低減され、ゼロクロスタイミングの検知誤差を改善することができる。波形３０３の状態におけるゼロクロス検知の誤差は、交流電源２０１からの交流電圧や、外部電源部４０におけるＧＮＤへの接地状態によって変化する。そのため、波形３０３のＺｅｒｏｘ信号からは、ゼロクロスタイミングを正確に検知することは難しい。なお、波形３０３では、立ち上り、又は、立ち下りのタイミングや回数に基づき、波形３０１に示した交流電源２０１からの交流電圧の周期（周波数）を検知することは可能である。
【００２６】
図４は本実施形の停電検知の動作を説明するためのシミュレーション図である。本シミュレーションでは、交流電源２０１の電圧を２２０Ｖｒｍｓ（実効電圧値）、コンバータ１の出力が５Ｖ、６Ａ（３０Ｗの定電力負荷）、コンバータ２の出力が２４Ｖ、６Ａ（１４４Ｗの定電力負荷）、コンバータ１及びコンバータ２の変換効率は９０％、一次平滑コンデンサＣ２を２７０μＦとしてシミュレーションを行った。
【００２７】
波形４００は交流電源２０１からの入力電圧波形（ＬＩＶＥ端子〜ＮＥＵＴＲＡＬ端子間の電圧）を示している。本実施例では、図のＡＣＯＦＦのタイミング（交流電圧波形の１周期半後：３０ｍｓｅｃ）で、電源ケーブル５０が引き抜かれた場合を想定している。波形４００では電源ケーブル５０が引き抜かれたタイミングから、ＸコンデンサＣ１に充電されている電荷が放電され、放電後に電圧が０Ｖになることが分かる。波形４１１は一次平滑コンデンサＣ２に充電された電圧を示す。波形４２１はＺｅｒｏｘ信号を示している。ここで、ゼロクロス検知部２０２を用いた、第一の停電検知手段の一例について説明する。本実施例では１全波（２０ｍｓｅｃ）の瞬断時（瞬時的な停電状態）には停電状態を検知せずに、Ｖ２４及びＶ５の出力を継続可能であり、かつ、できる限り早く停電状態を検知する方法について説明する。交流電源２０１が停電状態になった場合、ゼロクロスを検知できなくなるため、交流電源の停電状態を判断することができる。本実施例において、交流周波数５０Ｈｚのゼロクロスの立ち上り及び、立ち下りは、交流周期（２０ｍｓｅｃ）毎にしか検知できないため、最大２０ｍｓｅｃの検知誤差が生じる。周波数変動等の誤差要因として、５ｍｓｅｃを考慮した場合、最後にゼロクロスの立ち上りを検知したタイミングから、ゼロクロスの立と上りを検知できない状態が、予め設定した時間以上、つまり、４５ｍｓｅｃ以上経過した場合に、停電状態を検知すれば良い。
【００２８】
また、Ｚｅｒｏｘ信号４２１では、停電状態になった暫く後に、ゼロクロスの立ち下りを検知していることが分かる。これは、ＸコンデンサＣ１に負の電荷が充電された状態において、電源ケーブル５０が引き抜かれた場合、ＸコンデンサＣ１の電荷によって、トランジスタＱ２にベース電流が供給され続ける。そのため、Ｚｅｒｏｘ信号はＨｉｇｈ状態を保持し、ＸコンデンサＣ１の放電後に、Ｚｅｒｏｘ信号はＬｏｗ状態となり、ゼロクロスの立ち下りを検知する。Ｚｅｒｏｘの立ち下りを最後に検知できるタイミングは、ＸコンデンサＣ１に充電された電荷に依存するため、ばらつきが大きくなる。そのため、本実施例の第一の停電検知手段は、最後にゼロクロスの立ち上りを検知してから、次に立ち上りを検知するまでの時間と、最後にゼロクロスの立ち下がりを検知してから、次に立ち下がりを検知するまでの時間の、どちらか一方が４５ｍｓｅｃ以上になった場合に、停電状態の検知を行っている。ゼロクロスを用いて停電状態を検知する場合、波形４２１に示したように、ゼロクロスを検知した直後に、交流電源からの電圧の供給が断たれる（停電する）タイミング（ＡＣＯＦＦのタイミング）が、ゼロクロスを用いて停電状態を検知するのに最も時間がかかる条件となる。図４に示した例では、第一の停電検知手段によって、ＡＣＯＦＦのタイミングで停電状態になってから約４５ｍｓｅｃで検知可能である。
【００２９】
電圧検知部２０５による第二の停電検知手段について説明する。波形４３１は、電圧検知部２０５の入力電圧Ｖｉｎを示している。ＡＣＯＦＦのタイミングから入力電圧Ｖｉｎが低下し、閾電圧値Ｖｔｈ以下になるタイミング（６０ｍｓｅｃ）でコンバータ２の動作を停止させる。前述したように、１全波（２０ｍｓｅｃ）の瞬断時には停電状態を検知しないように、電圧検知部２０５は停電後３０ｍｓｅｃでコンバータ２を停止するように設定してある。
【００３０】
波形４４１はコンバータ２の出力電圧Ｖ２４の電圧値を示している。コンバータ２の動作が停止すると、出力電圧は急激に低下する。Ｖ２４の電圧が低下すると、Ｖ２４の分圧抵抗値である、Ｖ２４ｓｅｎｓｅの値が低下し、Ｌｏｗ状態となる。Ｖ２４ｓｅｎｓｅ信号に基づき、ＣＰＵ２０３が停電状態を検知できる。波形４５１はコンバータ１の出力電圧Ｖ５の電圧値を示している。コンバータ１は一次平滑コンデンサＣ２に充電された電圧（４１１）が、コンバータ１の出力電圧を保持可能な限界電圧値以下に低下すると、コンバータ１は出力電圧Ｖ５の電圧を保持できなくなる。本実施例のコンバータ１の限界電圧を１２０Ｖとする。出力電圧Ｖ５を保持できなくなるタイミングＶ５ＯＦＦ（１７３ｍｓｅｃ）を図示する。
【００３１】
図４で示したように、第二の停電検知手段によって、ＡＣＯＦＦのタイミングで停電状態になってから約３０ｍｓｅｃで検知可能である。停電状態を検知してから、コンバータ１が停止するまで、約１１３ｍｓｅｃの猶予時間を得ることができた。上述した猶予時間を使って、画像形成装置及び、電源回路を正常に停止できる状態に遷移させればよい。図４で説明した例では、第二の停電検知手段の方が、第一の停電検知手段よりも早く停電状態を検知できることが分かる。
【００３２】
図５は本実施形１の停電検知手段を説明するためのシミュレーション図である。図４で説明したシミュレーションと一致する点については説明を省略する。本シミュレーションでは、交流電源２０１からの入力電圧が２２０Ｖｒｍｓから１００Ｖｒｍｓに低下する停電状態について説明している。波形５００は交流電源２０１からの入力電圧波形（ＬＩＶＥ端子〜ＮＥＵＴＲＡＬ端子間の電圧）を示している。本実施例では、０ｍｓｅｃで、２２０Ｖｒｍｓから１００Ｖｒｍｓに電源電圧が低下した場合を想定している。波形５１１は一次平滑コンデンサＣ２に充電された電圧を示す。
【００３３】
ゼロクロス検知部２０２による第一の停電検知手段について説明する。波形５２１はＺｅｒｏｘ信号を示している。交流電源２０１の電圧が低下しても、ゼロクロスが停止しないため、第一の停電検知手段では、電圧が低下した状態を検知できない。
【００３４】
電圧検知部２０５による第二の停電検知手段について説明する。波形５３１は、電圧検知部２０５の入力電圧Ｖｉｎを示している。交流電源２０１の電圧が低下したタイミングから、入力電圧Ｖｉｎが低下し、閾電圧値Ｖｔｈ以下になるタイミング（９５ｍｓｅｃ）でコンバータ２の動作を停止させる。波形５４１はコンバータ２の出力電圧Ｖ２４の電圧値を示している。波形５５１はコンバータ１の出力電圧Ｖ５の電圧値を示している。
【００３５】
前述したように、コンバータ１は一次平滑コンデンサＣ２に充電された電圧（５１１）が、コンバータ１の出力電圧を保持可能な限界電圧値１２０Ｖ以下に低下すると、コンバータ１は出力電圧Ｖ５の電圧を保持できなくなる。図５で示したように、第二の停電検知手段によって、一次平滑コンデンサの電圧が１２０Ｖ以下に低下する前に、停電状態を検知可能であり、コンバータ１が停止する前に、画像形成装置及び、電源回路を正常に停止できる状態に遷移することができる。
【００３６】
図６は本実施形１の停電検知手段を説明するためのシミュレーション図である。図４で説明したシミュレーションと一致する点については説明を省略する。波形６００は交流電源２０１からの入力電圧波形（ＬＩＶＥ端子〜ＮＥＵＴＲＡＬ端子間の電圧）を示している。本実施例では、ＡＣＯＦＦのタイミング（２５ｍｓｅｃ）で、電源ケーブル５０が引き抜かれた場合を想定している。波形６００では電源ケーブル５０が引き抜かれたタイミングから、ＸコンデンサＣ１に充電されている電荷が放電され、放電後に電圧が０Ｖになることが分かる。波形６１１は一次平滑コンデンサＣ２に充電された電圧を示す。波形６２１はＺｅｒｏｘ信号を示している。ここで、ゼロクロス検知部２０２を用いた、第一の停電検知手段について説明する。図４で説明したように、最後にゼロクロスの立ち上りを検知したタイミングから、ゼロクロスの立ち上りを検知できない状態が４５ｍｓｅｃ経過した場合に、停電状態を検知できる。第一の停電検知手段は、ＡＣＯＦＦ（２５ｍｓｅｃ）で停電してから、３０ｍｓｅｃ経過した、５５ｍｓｅｃのタイミングで停電状態を検知できる。
【００３７】
電圧検知部２０５による第二の停電検知手段について説明する。波形６３１は、電圧検知部２０５の入力電圧Ｖｉｎを示している。ここで、図４で説明した波形と比較すると、ＡＣＯＦＦから暫く経過した後に、入力電圧Ｖｉｎが低下し始めていることがわかる。波形６００に示すように、交流電源２０１の電圧がピーク値に達したタイミングで、電源ケーブル５０が引き抜かれると、ＸコンデンサＣ１に交流電源２０１のピーク電圧が充電された状態になる。そのため、ＸコンデンサＣ１の電圧が低下する時間の分、波形６３１で示した入力電圧Ｖｉｎの電圧が閾電圧値Ｖｔｈ以下に低下し、停電状態を検知できるまでに必要な時間が長くなる。図６の場合、第一の停電検知手段が停電状態を検知するまでに必要な時間は５１ｍｓｅｃであり、図４の場合と比べて、約２１ｍｓｅｃの遅延時間が生じている。
【００３８】
この遅延時間の原因は、ＸコンデンサＣ１と容量値と、Ｘコンデンサ放電抵抗Ｒ１、Ｒ２、及び、Ｙコンデンサ放電抵抗Ｒ３、Ｒ４によって決まるＣＲ遅延である。本実施例１では、Ｘコンデンサ放電抵抗Ｒ１、Ｒ２よりも抵抗値の低い、Ｙコンデンサ放電抵抗Ｒ３、Ｒ４を用いているため、Ｙコンデンサ放電抵抗を用いない場合に比べて、上述した遅延時間を低減することができる。電圧検知部２０５を用いて停電状態を検知する場合、図６に示したように、交流電源２０１の電圧がピーク値に達したタイミングで、電源ケーブル５０が引き抜かれると、停電状態を検知するのに最も時間がかかる条件となる。
【００３９】
波形６４１はコンバータ２の出力電圧Ｖ２４の電圧値を示している。波形６５１はコンバータ１の出力電圧Ｖ５の電圧値を示している。一次平滑コンデンサＣ２に充電された電圧（６１１）が低下し、コンバータ１は出力電圧Ｖ５の電圧保持できなくなるタイミングＶ５ＯＦＦ（１９７ｍｓｅｃ）を図示する。
【００４０】
図６で示したように、第一の停電検知手段によって、ＡＣＯＦＦで停電状態になってから約３０ｍｓｅｃで検知可能である。停電状態を検知してから、コンバータ１が停止するまで、約１４２ｍｓｅｃの猶予時間を得ることができた。上述した猶予時間を使って、画像形成装置及び、電源回路を正常に停止できる状態に遷移させればよい。図６で説明した例では、第一の停電検知手段の方が早く停電状態を検知できることが分かる。ただし、図６では、電源ケーブル５０が引き抜かれたことによる停電状態について説明をしており、例えば交流電源２０１の出力が０Ｖに低下した場合などは、ＸコンデンサＣ１の電荷は直ちに放電される。そのため、上述した遅延時間が低減し、第二の停電検知手段でも早く停電状態を検知できる。
【００４１】
図７は本実施形１の停電検知手段を説明するためのシミュレーション図である。図４で説明したシミュレーションと一致する点については説明を省略する。本シミュレーションでは、コンバータ１の出力が５Ｖ、６Ａ（３０Ｗの定電力負荷）、コンバータ２の出力が２４Ｖ、０Ａ（０Ｗの定電力負荷）であり、コンバータ１の出力電圧Ｖ５の電力が大きく、コンバータ２の出力電圧Ｖ２４の電力が非常に低い場合について説明する。
【００４２】
波形７００は交流電源２０１からの入力電圧波形（ＬＩＶＥ端子〜ＮＥＵＴＲＡＬ端子間の電圧）を示している。本実施例では、ＡＣＯＦＦ（２５ｍｓｅｃ）で、電源ケーブル５０が引き抜かれた場合を想定している。波形７１１は一次平滑コンデンサＣ２に充電された電圧を示す。
【００４３】
波形７２１はＺｅｒｏｘ信号を示している。ここで、ゼロクロス検知部２０２を用いた、第一の停電検知手段について説明する。図４で説明したように、最後にゼロクロスの立ち上りを検知したタイミングから、ゼロクロスの立ち上りを検知できない状態が４５ｍｓｅｃ経過した場合に、停電状態を検知できる。第一の停電検知手段は、ＡＣＯＦＦ（２５ｍｓｅｃ）で停電してから、３０ｍｓｅｃ経過した、５５ｍｓｅｃのタイミングで停電状態を検知できる。
【００４４】
電圧検知部２０５による第二の停電検知手段について説明する。波形７３１は、電圧検知部２０５の入力電圧Ｖｉｎを示している。コンバータ２の出力電圧Ｖ２４の電力が非常に低い場合は、第二の停電検知手段を用いて、コンバータ２を停止させた場合も、コンバータ２の出力電圧Ｖ２４は、不図示のコンデンサによって保持される。そのため、コンバータ２の出力電圧Ｖ２４の電力が非常に低い場合は、Ｖ２４ｓｅｎｓｅはＨｉｇｈ状態のままであり、コンバータ１の出力が停止する前に、ＣＰＵ２０３によって停電状態を検知できない場合がある。ただし、後述する実施例２の電源回路９００のように、フォトカプラＰＣ３を追加し、直接停電状態を検知すれば、第二の停電検知手段によって停電状態を検知できる。
【００４５】
波形７４１はコンバータ２の出力電圧Ｖ２４の電圧値を示している。
波形７５１はコンバータ１の出力電圧Ｖ５の電圧値を示している。一次平滑コンデンサＣ２に充電された電圧（７１１）が低下し、コンバータ１は出力電圧Ｖ５の電圧保持できなくなるタイミングＶ５ＯＦＦ（３５２ｍｓｅｃ）を図示する。
【００４６】
図７で示したように、第一の停電検知手段によって、ＡＣＯＦＦで停電状態になってから約３０ｍｓｅｃで停電状態を検知できる。停電状態を検知してから、コンバータ１が停止するまで、約２９７ｍｓｅｃの猶予時間を得ることができた。
【００４７】
図８は本実施形１のＣＰＵ２０３による、電源回路２００の制御シーケンスを説明するフローチャートである。Ｓ８００で制御開始すると、Ｓ８０１に進む。Ｓ８０１では、Ｓｔａｎｂｙ信号をＨｉｇｈ状態にして、コンバータ２、ゼロクロス検知部２０２、電圧検知部２０５への電力供給し、Ｙコンデンサ放電抵抗Ｒ３及び、Ｒ４を通電状態にする（この状態は、第二の状態であり、ゼロクロス及び電圧検知可能な状態）。
【００４８】
Ｓ８０２では、電圧検知部２０５の入力電圧Ｖｉｎが、閾電圧Ｖｔｈより小さい電圧かを判断する。入力電圧Ｖｉｎの電圧が低い場合はＳ８０３に遷移しコンバータ２を停止する。入力電圧Ｖｉｎの電圧が高い場合はＳ８０４でコンバータ２を起動する。既にコンバータ２が起動している場合には、起動している状態を継続する。
【００４９】
Ｓ８０５ではＶ２４ｓｅｎｓｅ信号に基づき、停電状態を判断する。Ｖ２４ｓｅｎｓｅがＬｏｗ状態となった場合、停電状態を検知し、Ｓ８０９に遷移する。Ｓ８０６では、Ｚｅｒｏｘ信号の立ち下りタイミングに基づき、交流電源２０１のゼロクロスを検知する。
【００５０】
Ｓ８０７では、Ｚｅｒｏｘ信号の立ち上りを４５ｍｓｅｃ以上検知できなかった場合、又は、Ｚｅｒｏｘ信号の立ち下がりを４５ｍｓｅｃ以上検知できなかった場合に、Ｓ８０９に遷移して停電状態を検知する。尚、本実施例では、Ｚｅｒｏｘの立ち下り、立ち上りの両方を検知する場合について説明しているが、Ｚｅｒｏｘの立ち下り、立ち上りのどちらか一方のみで、停電状態を検知する場合についても有効である。
【００５１】
Ｓ８０５及び、Ｓ８０７で停電状態を検知した場合、Ｓ８０９において、Ｓｔａｎｂｙ信号をＬｏｗ状態にして、コンバータ２、ゼロクロス検知部２０２、電圧検知部２０５への電力供給を遮断し、Ｙコンデンサ放電抵抗Ｒ３及び、Ｒ４を遮断状態にする（第一の状態であり省エネ状態である）。この第一の状態は、交流電源が停電した場合にも、正常に電源を停止できる状態である。例えば、本実施例の画像形成装置が、不図示のハードディスク等を有していた場合、データのクラッシュ等を回避するための処理を行う。以上の処理を、Ｓ８０８でスタンバイ状態終了を判断するまで繰り返し行い、上述したＳ８０９の処理を終了した後に、Ｓ８１０で制御を終了する。
【００５２】
ここで、ゼロクロス検知部２０２を用いた第一の停電検知手段と、電圧検知部２０５を用いた第二の停電検知手段を設ける効果について説明する。図４で説明したように、ゼロクロスを検知した直後に、電源ケーブル５０が引き抜かれた場合、第一の停電検知手段が停電状態を検知するのに最も時間が必要になり、第二の停電検知手段では早く停電状態を検知できる。図６で説明したように、交流電源２０１の電圧がピーク値に達したタイミングで、電源ケーブル５０が引き抜かれた場合、第二の停電検知手段が停電状態を検知するのに最も時間が必要になり、第一の停電検知手段では、停電状態を早く検知することができる。第一の停電検知手段と、第二の停電検知手段を用いることで、電源ケーブル５０が引き抜かれるタイミングが変わった場合にも、早く停電状態を検知することができる。また、図５で説明したように、交流電源２０１の電圧が大きく低下した場合、第二の停電検知手段で停電状態を検知できる。また、図７で説明したように、コンバータ１の出力電圧Ｖ５の電力が大きく、コンバータ２の出力電圧Ｖ２４の電力が非常に低い場合、第一の停電検知手段で停電状態を検知できる。
【００５３】
このように、ゼロクロス検知部２０２を用いた第一の停電検知手段と、電圧検知部２０５を用いた第二の停電検知手段を用いることで、簡易な構成で精度良く停電状態の検知することができる。また、本実施例の電源回路２００では、第一のスイッチ手段Ｑ１を、Ｙコンデンサの放電抵抗Ｒ３、Ｒ４に流れる電流を遮断する手段として用いると共に、電圧検知部２０５の電圧検知に必要な電流を遮断する手段として用いることで、一つの高耐圧スイッチ手段Ｑ１のみで、ゼロクロス検知及び、停電電圧検知が行える状態と、消費電力を低減できる状態を切り替えることができる。
【００５４】
以上、本実施例によれば、簡易な構成で停電状態を早期に検知することができ、且つ、装置の待機状態における消費電力を低減することができる。
【実施例２】
【００５５】
次に、実施例２の電圧検知部９０５を有する、電源回路９００を図９に基づき説明する。実施例１と同様の構成については説明を省略する。
【００５６】
実施例２の構成では、実施例１の構成に比べてフォトカプラＰＣ３が必要になるが、図７に示したように、コンバータ１の出力電圧Ｖ５の電力が大きく、コンバータ２の出力電圧Ｖ２４の電力が低い場合にも、電圧検知部９０５を用いて停電状態を検知することができる。
【００５７】
本実施例の電圧検知部９０５の動作を説明する。電圧検知部９０５は、入力電圧Ｖｉｎが所定の閾値電圧Ｖｔｈ（本実施例では１．１６Ｖ）以下になった場合に、ＶｏｕｔをＬｏｗ状態とし、フォトカプラＰＣ３の一次側ダイオードに電流が流れない状態にする。Ｒ９０１及びＲ９０２はプルアップ抵抗である。フォトカプラＰＣ３の一次側のダイオードに電流が流れない状態になると、フォトカプラＰＣ３の２次側トランジスタはＯＦＦするため、ＶＡＣｓｅｎｓｅ信号はＨｉｇｈ状態となり、ＣＰＵ９０３は停電状態を検知することができる。
【００５８】
以上、本実施例によれば、簡易な構成で停電状態を早期に検知することができ、且つ、装置の待機状態における消費電力を低減することができる。
【符号の説明】
【００５９】
１００  像加熱装置
２００  電源回路
２０２  ゼロクロス検知部
２０５  電圧検知部
Ｃ１  Ｘコンデンサ
Ｃ２  平滑コンデンサ
Ｃ３、Ｃ４  Ｙコンデンサ
Ｒ１  Ｘコンデンサ放電抵抗
Ｒ２  ゼロクロス検知抵抗（Ｘコンデンサ放電抵抗）
Ｒ３、Ｒ４  Ｙコンデンサ放電抵抗
Ｑ１  第一のスイッチ手段
ＢＤ１  ブリッジダイオード
【図１】
0005984404.tif 000002
【図２】
0005984404.tif 000003
【図３】
0005984404.tif 000004
【図４】
0005984404.tif 000005
【図５】
0005984404.tif 000006
【図６】
0005984404.tif 000007
【図７】
0005984404.tif 000008
【図８】
0005984404.tif 000009
【図９】
0005984404.tif 000010